【事件の表示】
　平成　９年特許願第３６３２７０号「ＯＡ機器の操作装置、ＯＡ機器の操作設定方法、及びＯＡ機器」拒絶査定不服審判事件〔平成１１年　７月　２日出願公開、特開平１１−１７５２２５〕について、次のとおり審決する。
【結　論】
　本件審判の請求は、成り立たない。
【理　由】
１．手続きの経緯
　本願は、平成９年１２月１６日の出願であって、平成１８年８月７日付けで拒絶査定がなされたところ、それに対して、平成１８年９月２１日付けで拒絶査定に対する審判請求がなされるとともに同年１０月１７日に手続補正書が提出され、当審において平成２１年８月２０日付けで拒絶理由が通知されたものであり、本願請求項１に係る発明は、平成２１年１０月２６日に提出された手続補正書により補正された明細書及び図面の記載からみて、その特許請求の範囲の請求項１に記載された次のとおりのものと認める。（以下、「本願発明」という。）
　
「ＯＡ機器の各種機能を実現すべく操作を行うための操作手段と、
　前記ＯＡ機器の複数の機能を用いて実行可能な複数種類の連携動作のうちの利用者により実行要求がなされる連携動作の選択候補に関する利用者独自のカスタマイズされた設定情報を取り込むにあたって、利用者によって装着された取り外し可能な記憶媒体から当該設定情報を取り込むか、ネットワークを介して接続された外部装置から当該設定情報を取り込むかを前記操作手段を用いて利用者に選択させる選択手段と、
　前記選択手段によって前記記憶媒体からの取り込みが選択された場合、利用者によって装着された取り外し可能な記憶媒体から前記設定情報を取り込み、前記選択手段によって前記外部装置からの取り込みが選択された場合、当該外部装置から前記設定情報を取り込む取り込み手段と、
　前記取り込み手段で得た設定情報を基に、前記ＯＡ機器の複数の機能を用いて実行可能な複数種類の連携動作のうちの利用者により実行要求がなされる連携動作の選択候補に対応する選択項目を具備した利用者独自のカスタマイズされたメニュー画面を、前記操作手段に表示させる手段と、
　前記メニュー画面を介して利用者により選択された選択項目に対応する連携動作を前記ＯＡ機器に実行させる為の手段とを備えたことを特徴とするＯＡ機器の操作装置。」
　
２．引用例
（１）当審における、平成２１年８月２０日付けで通知した拒絶の理由に引用した特開平８−２２７３４５号公報（以下、「引用例１」という。）には、図面とともに、以下の記載がある。
　
（イ）「【従来の技術】最近のドキュメントのニーズを満たすため、ドキュメントシステムに対し、ドキュメントの複写、ドキュメントの配布、ドキュメントの格納、およびドキュメントの印刷など、さまざまな局所および遠隔アプリケーションのために絶えず拡張している特徴(feature) セットが提供されてきた。従来は特徴セットを拡張するために、通例、既存の制御パネルに、多数のメニュー層、多数の特徴カテゴリ、そして多数のボタンやアイコンが追加された。その結果、エンドユーザーのオペレータはたびたび特定のジョブに必要な特定の一組の特徴および電子対話を捜し出し、アクセスする制御パネル探索作業に直面する。
【０００３】これは、オペレータにとってジョブセットアップの複雑さが増しただけであった。ファックス、印刷、格納、および配布などの多機能の特徴が要求されると、この問題はさらに悪化する。このような状況においては、ユーザーやオペレータは、特徴の利用可能性について、また与えられたジョブの目的を達成するための特徴の正しい選択と組合せについて当惑してしまうことが多い。大量の対話情報や多くのオプションは、オペレータをまごつかせ、そのために間違った選択をすることがある。詳しく述べると、非常に特殊な要求が与えられた装置側は、不必要な指示メッセージ、オプション、そして特徴を常に表示する装置制御パネルによって、十分な利便性が得られない。また簡単なジョブ要求はそのジョブ要求を達成するのに制御パネル上に多数の特徴やオプションを必要としない。」（段落【０００２】、【０００３】）
　
（ロ）「【００１６】本発明に従って、ファックス装置、プリンタ、複写機、及びその他のマルチファンクション装置、及びワークスーションのためのマルチファンクション型ユーザーインタフェース制御を対話画面上に組み立てるため、特徴ライブラリ(Feature Library) が使用される。特徴ライブラリは、オペレータが特徴の配列を電子的に容易に組み立てて、多くの種類のジョブを最も効果的にサポートすることを可能にする。カスタマイズ化は、制御パネルのスケールした（縮尺した）表現、簡単なオン／オフセレクタによって追加または削除される特徴、メニュー、および特徴の提示スタイルと配置を変更する対象物ドロップ／ドラッグ調整可能性によって可能である。これらの対話機構は、異なる制御パネルを生成し、しかも同じ製品で使用することができるので、顧客はかれら自身のカスタマイズした制御パネルを容易に工夫することができる。
【００１７】多機能型ドキュメントシステムのユーザーインタフェース（ＵＩ）は、ドキュメントの配布、格納、検索、複写、および印刷のさまざまな新しい仕事についてジョブプログラミングができるようにする。ユーザーはシステムの特徴を最良に組み合わせ、使用するやり方を知らないことが多い。特徴ライブラリの概念は、ユーザーインタフェース対話によって、これらのニーズに注意を払い、拡張可能なカスタマイズした解答を提供し、ユーザーにシステム使用法を手引きすることができるようにする。特徴ライブラリは、特徴を画面上に容易に組み立てて、あらゆる種類のジョブをサポートすることができるように、電子ユーザーインタフェース対話に含まれている。この組立ては、製品を顧客へ渡す前または後に製品開発者またはエンドユーザーによって行われる。考えられる多機能の特徴のオプションの全配列はソフトウェアの中にあるが、役に立つオプションのサブセットは、簡単なオブジェクト指向方法を使用して、個々のジョブプログラミング画面上に置かれ、あるいは画面から除去される。
【００１８】電子制御パネルのレイアウト内のすべての特徴は処理可能なオブジェクトである。それらの特徴は電子的に検索され、削除され、あるいは移動されて、ジョブ制御画面が構成される。特徴カテゴリの配置と選択は、最終画面レイアウトの縮尺図上で特徴をドラッグすることによって調整される。提示スタイルは、特徴およびレイアウトに対応づけられたオブジェクトの属性を使用して調整される。いったん組み立てられた１つまたは多数の制御パネルは仕立てられた解答として保存し、ジョブをプログラムするとき再使用することができる。異なるニーズについて１つ以上の制御パネルが同じ装置に常駐することができる。また新しいアプリケーションでユーザーを支援し、進展するニーズを満たすために、特徴ライブラリを使用して独自の多機能制御パネルを生成することができる。」（段落【００１６】〜【００１８】）
　
（ハ）「【００２２】前に言及したように、オペレータは現在の制御パネルと電子対話で決められたジョブに必要な特定の特徴を見つけ出す探索作業に直面する。従来は、制御パネルは、特徴の成長に対処するため、単に電子ディスプレイに多数のメニュー層を追加し、特徴のカテゴリの数を増し、そして多くのボタン等を追加した。このため、ユーザーにとってはジョブセットアップの複雑さがいっそうひどくなった。ファックス、印刷、格納、配布のため多機能的な特徴が加わると、この問題は特に目立ってくる。ユーザーはもはやシステム上でどんな特徴が利用可能であるのかはおろか、それらの特徴をどのように組み合わせてジョブをセットアップするかがわからなくなる。
【００２３】本発明に従えば、電子ディスプレイ媒体が、対話の特徴を、任意の数の自己充足型制御パネルに編成するのに使用され、該制御パネルには、異なる個人の、作業グループ業務の、およびジョブ形式のニーズを満たすように導出した特徴のサブセットが含まらている。全体的に、より高い簡潔性、セットアップ効率、および仕立て能力をもつ対話が得られる。ユーザーはシステム上で利用可能な多数の制御パネルのうち１つを選択してジョブをセットアップする。多数の制御パネルの概念は、特徴の豊富な多機能システムに大いに有利に拡張される。製品に関する複数の標準制御パネルは、既知の種類の仕事（例えば、フィルムスライドから紙に及ぶ特定の種類の原稿／ソースドキュメント、あるいは宛て名が書かれた封筒など、特殊な出力を得る）に関してユーザーが最も都合がよいように特徴を編成することができる。あるいは、これらの制御パネルを使用して、システムが実行できること（例えば、走査し、複写したイメージをワークスーションへ自動的に送り戻す特徴、または複写機を使用する電子配布）に関して新しい予想を立てることができる。事前に組み立てた制御パネルは「そのまま」使用することもできるし、あるいはユーザーがそれ自体のバージョンを生成し、保存するための青写真にすることができる。ユーザーは特注／空白の制御パネルオプションによって特徴を組み合わせて、新しい特徴を生成することができる。さらに、特注の制御パネルは、ワークスーションで同じツールを使用して生成することもできるし、あるいはどこかよそで使用するため別の装置で生成し、送ることもできる。
【００２４】ある実施例においては、利用可能な制御パネルオプションは主対話画面に名前付きボタンとして現れる。ユーザーは利用可能な制御パネルオプションのどれかを選択し、もしユーザーがデフォルト設定値を使用することを望んでいれば、単にワンタッチジョブプログラミング用のスタートボタンを押してジョブを開始させる。もしユーザーが制御設定値を変更することを選択すれば、オプションボタンを重ねて選択することによって、制御パネル画面のどれかが開かれる。次に、ユーザーは表示された制御パネルを用いてプログラムすることができる。また、表示されたどんなパネルも、もしユーザーが選択すれば、主ウォークアップパネルに取って代わることができる。各制御パネルは、他の制御パネルにも見られる同じ特徴の一部（給紙や数量など）を含んでいるが、他の任意の特徴を追加または削除することができる。また、特徴ライブラリのようなリスティングによって、ウィンドウ見出しバーからドロップダウンメニューを利用して、要求に応じてユーザーが必要とするかも知れないその他の特徴を検索し、パネルに追加することができる。レイアウトおよび設定に対する変更は保存することができる。
【００２５】例えば、複写サービスは主画面上にユーザーに提示される。画面は利用可能なすべての複写制御パネルを含んでいる。各制御パネルは、制御パネルのようなプログラミング画面を開く名前付きボタンオブジェクトとして提示される。アプリケーション名のほかに、制御パネルボタンは、ユーザーが１つまたは２つの特性の特徴設定を一の所与の制御パネルに伝えるように指定することができる情報ラベルすなわちタグを持つことができる。ユーザーはどれかの制御パネルボタンを選択し、次にスタートを押すことができる（従って、特徴設定デフォルト値を使用する）。以下は利用可能な複写制御パネル画面の例である。例えば、基本的な複写制御パネルは、全特徴開示方式を使用して基本的ジョブ（例えば、vanilla  8.5×11  コピー）をサポートする簡単な複写機業務を含んでいる。スクロールボタンにより、ユーザーはディスプレイが一度に示すことができるよりも多くの特徴にアクセスすることができる。タスク制御パネルは、プレゼンテーションのような特殊なジョブに必要とされる種類の特徴選択候補を提供するように、あるいはユーザーの生産性を最大にするため漸進的開示メニューを使用して、イメージの調整を必要とするページを作成するように仕立てることができる。生産制御パネルは、複数の制御パネルを使用してドキュメントを作成する仕事および生産ジョブ管理をサポートする可能性を提供することができる。他のテンプレート、例えば複写／ファックス制御パネルあるいは単一ユーザーの特徴選択候補または特殊な文書（例えば、 Monthly newsletter)をもつ専有化されたパネルも可能である。」（段落【００２２】〜【００２５】）
　
（ニ）「【００３２】個々のジョブ要求について種々のカスタマイズした制御パネルが準備され、メモリに格納されたと仮定して、図７に示したような適当な制御パネルは格納されたカスタマイズした制御パネルへのアクセスを提供する。例えば、図７に示した起動された適当な制御パネルは、２０３でタスク制御パネルを選択するようにオペレータに促すであろう。図７には、種々のパネルオプション、例えば“Send Fax”２０４、“Make Copies and Fax ”２０６、“Scan to Net Address ”２０８、“Create a Local File ”２１０、“Make Copies ”２１２、“Monthly Newsletter”２１６、“Meeting Minutes Distribution”２１８、“Change Colors to Grays”２２０、および“Merge two Documenets”２２２が示されている。表示画面上のこれらの各ソフトボタンは、個々の要求に特有な１つまたは一組の制御パネルにアクセスする。
【００３３】例えば、オペレータがファックスを送信するつもりであると仮定して、オペレータは“Send a Fax”ボタン２０４を起動させる。これにより、図８に示すように、ファックスを送るカスタマイズした“Send a Fax”パネルがメモリから呼び出される。典型的な“Send a Fax”制御パネルは、“Send a Fax”の記述２２４、“Speed Dial”オプション２２６、“Fax to a Distribution List”オプション２２８、“Cover Sheet ”オプション２３０、“Fax Resolution”オプション２３２、“Image Quality ”２３４、そしてファックス番号ウィンドウ表示２３６を含んでいる。
【００３４】図７へ戻って、オペレータは　Monthly Newsletter　の送信を希望しているかもしれない。オペレータが　Monthly Newsletter　の送信を希望していると仮定して、オペレータが図７のボタン２１６を押すと、図９に示すカスタマイズした制御パネルが表示される。図９に示すように、“Monthly Newsletter”の記述２４０と、オペレータが　Monthly Newsletter　を配布するために選択する種々のオプションすなわち特徴が示される。詳しく述べると、“Create a job File ”オプション２４２、“Image Quality ”オプション２４４、“Paper Size”オプション２４６、Collate/Staple  などの“Finishing ”オプション２４８がある。さらに、“make Proof”オプション２５０と、印刷したセットの数を表示するウィンドウ２５２のほか、“Fax to a Designated List”オプション２５４と、“Store File”オプション２５６がある。
【００３５】最後に、図１０は、図７の“Meeting Minutes Distribution”ボタン２１８を押すことによって生じた、カスタマイズした“Meeting Minutes Distribution”制御パネルを示す。詳しく述べると、“Meeting Minutes Distribution”制御パネルは、“Number of Printed Sets”ウィンドウ２５８、“Annotation”すなわち“Logo”オプション２６０、“Cover Sheet ”オプション２６２、“Paper Size”オプション２６４、および“Finishing ”オプション２６６を提示する。そのほかに“Fax Directory/Speed Dial”オプション２６８、“Store File”オプション２６８、および“E-mail Addresses”オプション２７２が提示される。
【００３６】一組の特徴を選択するばかりでなく、それらの特徴を制御パネルの表現の上に配列するため種々の表示フォーマットすなわち手法をオペレータに提供し、与えられた要求についてカスタマイズした制御パネルを提供することは、本発明の範囲に含まれることに留意されたい。また、例示した種々の画面表示は単なる例示に過ぎないこと、そしてさまざまなユーザー要求についてカスタマイズした制御パネルを提供することができることを理解されたい。」（段落【００３２】〜【００３６】）
　
（ホ）カスタマイズした制御パネルを示す画面である図７には、“Send a Fax”ボタン２０４、“Make Copies and Fax”ボタン２０６、“Monthly Newsletter”ボタン２１６等の名前付きボタン（ソフトボタン）が表示されている。
　
　以上の記載によれば、この引用例１には以下のような発明（以下、「引用例１発明」という。）が開示されていると認められる。
　
「ファックス装置、プリンタ、複写機等のマルチファンクション装置及びワークステーションのためのユーザーインタフェースであって、
　特徴ライブラリを使用して個々のジョブ要求について、異なる個人の、作業グループ業務の、およびジョブ形式のニーズを満たすように種々のカスタマイズした制御パネルを作成してメモリに格納し、前記メモリに格納した制御パネルへのアクセスを提供する種々の制御パネルオプションを主対話画面上に名前付きボタン（ソフトボタン）として表示し、ユーザーが利用可能な制御パネルオプションのどれかを選択すると個々のジョブ要求に特有な１つまたは一組みの制御パネルにアクセスし、ユーザーがデフォルト設定値を望んでいれば、ワンタッチジョブプログラミング用のスタートボタンを押してジョブを開始することができ、ユーザーがオプションボタンを選択して押すと制御設定値を変更することができる、例えば、カスタマイズした制御パネルを示す画面上に“Send a Fax”ボタン２０４、“Make Copies and Fax”ボタン２０６、“Monthly Newsletter”ボタン２１６等の名前付きボタン（ソフトボタン）が表示され、オペレータがファックスを送信するつもりで、オペレータが主対話画面上の“Send a Fax”ボタン２０４を起動させると、ファックスを送るカスタマイズした“Send a Fax”パネルがメモリから呼び出され、“Speed Dial”オプション２２６、“Fax to a Distribution List”オプション２２８、“Cover Sheet ”オプション２３０、“Fax Resolution”オプション２３２、“Image Quality ”２３４、そしてファックス番号ウィンドウ表示２３６を表示するユーザーインタフェース。」
　
（２）同じく、当審における、平成２１年８月２０日付けで通知した拒絶の理由に引用した特開昭６４−３８７６１号公報（以下、「引用例２」という。）には、図面とともに、以下の記載がある。
　
（イ）「「発明が解決しようとする問題点」
　さて、機能がより高度化した複写機は、一般的には他の複写機よりもより便利でありその利用の範囲も広がるという利点がある。ところが、１つの複写機に多くの機能を盛り込むことは複写機の大型化や複雑化につながり、これらの機能を必要としない顧客にとっては相対的に高価な製品や操作ミスを起こしやすい製品を使用しなければならなくなる。また、同一の複写機メーカが製造した複写機であっても、それぞれの複写機で機能が細分化されてくると操作パネルの各種ボタンやスイッチの対応がとりにくく、良く使い慣れた複写機でないと思わぬ操作ミスを行ってしまい、コピーをとり直さなければならないという問題も発生した。」（第２頁右上欄第１３行〜左下欄第７行）
　
（ロ）「以上複写機について説明したが、ファクシミリ装置、プリンタ等の他の記録装置についても同様な問題が発生している。
　そこで本発明の目的は、複数の記録条件の中から所望の条件を選択することのできる記録装置を提供することにある。
「問題点を解決するための手段」
　本発明では第１図に原理的に示すように、所定の記憶媒体１１からデータの読み出しを行う読出手段１２と、記憶媒体１１が区分された複数の記憶領域Ｍ１〜ＭＮを有しているときこれを表示する表示手段１３と、これら複数の記憶領域Ｍ１〜ＭＮから所望の領域を指定する記憶領域指定手段１４と、この記憶領域指定手段１４によって指定された記憶領域から読み出されたデータを格納する記憶部１５と、この記憶部１５に記憶されたデータを基に各部の制御を行う制御部１６とを記録装置に具備させる。
　ここで表示手段１２は記憶媒体１１が複数の記憶領域Ｍ１〜ＭＮを有しているときこれらの登録状況を表示するようにすれば、これらの領域を別個に指定してデータの登録や読み出しを行うときに便利である。記憶媒体は携行可能なＩＣカードやメモリカード等の外部記憶装置であってもよいし、記録装置本体内部に配置されたメモリであってもよい。
　また表示手段１２は複数の記憶領域Ｍ１〜ＭＮと共に、これらの領域を選択的に指示するためのカーソルを表示するようにすれば、記憶領域Ｍ１〜ＭＮの個別指定を容易に行うことができるようになる。記憶領域指定手段１４は記憶領域Ｍ１〜ＭＮの指示をテンキーから行ってもよいことはもちろんである。
　記録装置は、記憶媒体からデータの読み出しを行う機能の他にデータの書き込みを行う機能を備えていてもよい。
　表示手段１３は文章、数値および絵文字で登録状況を表示するようにすれはよい。特に絵文字（アイコン）を使用すると、一目でその内容を判別することができるという利点がある。ＩＣカードを記憶媒体として使用する記録装置では、ＩＣカードがセットされているとき、あるいはＩＣカードの読み取りのための装置が記録装置本体に取りつけられている場合のみ表示手段１３がデータの登録を指示するようにすれば、表示内容に無駄が生じない。
　本発明によれば、記憶媒体に複数の記憶領域Ｍ１〜ＭＮが備えられているときには、これらそれぞれに記録条件に関するデータを登録しておくことにより、所望の記録条件を選択することができる。特にＩＣカードのように個人単位で所有することのできる記憶媒体では、各人のニーズにあった記録条件を容易に選択させることができるという利点がある。」（第２頁右下欄第４行〜第３頁右上欄第１７行）
　
（３）同じく、当審における、平成２１年８月２０日付けで通知した拒絶の理由に引用した特開平７−２５０２０５号公報（以下、「引用例３」という。）には、図面とともに次の記載がある。
　
「【００１０】
【課題を解決するための手段】そこで、本発明では、複数の機能を持つ複合装置の操作を制御する操作制御方法において、操作内容を指定する操作制御パラメータ情報を複合装置に供給し、この操作制御パラメータ情報を読取った複合装置に、操作制御パラメータ情報に従って複数の機能を自動的に実行させている。
【００１１】また、操作制御パラメータ情報を記憶媒体に記述し、この記憶媒体を複合装置に装着して、操作制御パラメータ情報を複合装置に読取らせている。
【００１２】また、この操作制御パラメータ情報をデータ転送によって複合装置に供給している。
【００１３】また、操作制御パラメータ情報をプログラミング言語で表わしている。」（段落【００１０】〜【００１３】）
　　
３．対　比
　本願発明と引用例１発明とを対比する。
　引用例１発明の「ファックス装置、プリンタ、複写機等のマルチファンクション装置及びワークステーション」は、本願発明の「ＯＡ機器」に相当する。
　引用例１発明の「ユーザーインタフェース」は、本願発明の「ＯＡ機器の各種機能を実現すべく操作を行うための操作手段」に相当する。
　引用例１発明の「個々のジョブ」は、本願発明の「ＯＡ機器の複数の機能を用いて実行可能な複数種類の連携動作」に相当する。
　引用例１発明の「異なる個人の、作業グループ業務の、およびジョブ形式のニーズを満たすように種々のカスタマイズした制御パネル」は、本願発明の「利用者により実行要求がなされる連携動作の選択候補に関する利用者独自のカスタマイズされた設定情報」に相当するといえる。
　引用例１発明は、「種々のカスタマイズした制御パネルを作成してメモリに格納」するから、「前記設定情報を取り込む取り込み手段」を備えた点で本願発明と一致するといえる。
　引用例１発明は、「前記メモリに格納した制御パネルへのアクセスを提供する種々の制御パネルオプションを主対話画面上に名前付きボタン（ソフトボタン）として表示」するから、「前記取り込み手段で得た設定情報を基に、前記ＯＡ機器の複数の機能を用いて実行可能な複数種類の連携動作のうちの利用者により実行要求がなされる連携動作の選択候補に対応する選択項目を具備した利用者独自のカスタマイズされたメニュー画面を、前記操作手段に表示させる手段」を備えた点で本願発明と一致するといえる。
　引用例１発明は、「前記メモリに格納した制御パネルへのアクセスを提供する種々の制御パネルオプションを主対話画面上に名前付きボタン（ソフトボタン）として表示し、ユーザーが利用可能な制御パネルオプションのどれかを選択すると個々のジョブ要求に特有な１つまたは一組みの制御パネルにアクセスし、ユーザーがデフォルト設定値を望んでいれば、ワンタッチジョブプログラミング用のスタートボタンを押してジョブを開始することができ」るから、「前記メニュー画面を介して利用者により選択された選択項目に対応する連携動作を前記ＯＡ機器に実行させる為の手段」を備えた点で本願発明と一致するといえる。
　
　したがって、両者は、
「ＯＡ機器の各種機能を実現すべく操作を行うための操作手段と、
　前記ＯＡ機器の複数の機能を用いて実行可能な複数種類の連携動作のうちの利用者により実行要求がなされる連携動作の選択候補に関する利用者独自のカスタマイズされた設定情報を取り込む取り込み手段と、
　前記取り込み手段で得た設定情報を基に、前記ＯＡ機器の複数の機能を用いて実行可能な複数種類の連携動作のうちの利用者により実行要求がなされる連携動作の選択候補に対応する選択項目を具備した利用者独自のカスタマイズされたメニュー画面を、前記操作手段に表示させる手段と、
　前記メニュー画面を介して利用者により選択された選択項目に対応する連携動作を前記ＯＡ機器に実行させる為の手段とを備えたことを特徴とするＯＡ機器の操作装置。」
で一致するものであり、次の点で相違している。
　
（１）本願発明は、利用者独自のカスタマイズされた設定情報を取り込むにあたって、利用者によって装着された取り外し可能な記憶媒体から当該設定情報を取り込むか、ネットワークを介して接続された外部装置から当該設定情報を取り込むかを前記操作手段を用いて利用者に選択させる選択手段と、前記選択手段によって前記記憶媒体からの取り込みが選択された場合、利用者によって装着された取り外し可能な記憶媒体から前記設定情報を取り込み、前記選択手段によって前記外部装置からの取り込みが選択された場合、当該外部装置から前記設定情報を取り込む取り込み手段を備えたのに対し、引用例１発明は、利用者独自のカスタマイズされた設定情報を作成し、作成した設定情報をメモリに格納する手段を備えている点。
　　
４．当審の判断
　上記相違点について検討する。
　引用例１には、「さらに、特注の制御パネルは、ワークスーションで同じツールを使用して生成することもできるし、あるいはどこかよそで使用するため別の装置で生成し、送ることもできる。」（記載事項（ハ）段落【００２３】）と記載されており、ネットワークを介して接続された外部装置から特注の制御パネル（「利用者独自のカスタマイズされた設定情報」に相当する。）を取り込むことが示唆されている。
　引用例２には、ファクシミリ装置、プリンタ等の他の記録装置において、複数の記録条件をＩＣカードに記録し、該ＩＣカードを装着したＩＣカード読み取り装置から上記複数の記録条件を取得して表示手段で表示し、各人のニーズにあった記録条件を選択させることが記載されている。
　また、引用例３には、複数の機能を持つ複合装置の、操作内容を指定する操作制御パラメータ情報を複合装置に供給し、この操作制御パラメータ情報を読取った複合装置に、操作制御パラメータ情報に従って複数の機能を自動的に実行させる制御方法において、操作制御パラメータ情報を記憶媒体に記述し、この記憶媒体を複合装置に装着して操作制御パラメータ情報を複合装置に読取らせること、または、この操作制御パラメータ情報をデータ転送によって複合装置に供給することが記載されており、さらに、制御データの取得をメモリカードから行う、あるいは、ネットワークを介して外部装置から行うことは本出願前周知の技術（特開平８−１８５２８８号公報段落【００６１】の記載、特開平８−１６３４３号公報段落【００４７】）である。
　そうすると、引用例２、３に記載された技術、及び上記周知技術を考慮すれば、引用例１発明において、利用者によって装着された取り外し可能な記憶媒体から前記設定情報を取り込み、さらにネットワークを介して接続された外部装置からも前記設定情報を取り込むようにした取り込み手段を備えるようにすることは、当業者であれば容易に想到し得ることである。
　そして、利用者によって装着された取り外し可能な記憶媒体から前記設定情報を取り込み、さらにネットワークを介して接続された外部装置からも前記設定情報を取り込むようにした取り込み手段を備えるようにする際に、前記設定情報を取り込むにあたって、利用者によって装着された取り外し可能な記憶媒体から当該設定情報を取り込むか、ネットワークを介して接続された外部装置から当該設定情報を取り込むかを操作手段を用いて利用者に選択させる選択手段を備えるようにする程度のことは当業者が必要に応じて適宜なし得る設計事項にすぎない。
　
　また、本願発明により奏される効果は当業者であれば引用例１発明、引用例２、３に記載された技術及び上記周知技術から予想できる範囲内のものである。
　
５．むすび
　以上のとおり、本願請求項１に係る発明は、引用例１発明、引用例２、３に記載された技術及び上記周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。